(57)【特許請求の範囲】
【請求項１】
住宅の床下地材を構成する根太上に荒床板を敷き込み、その上に適当間隔に床暖根太を取り付け、その床暖根太間に断熱板を引き込み、この断熱板上に温水管を蛇行状に適数本配管し、各断熱板のこれらの温水管を包み込むように、アルミ薄板等の放熱板で覆い、このアルミ薄板等の放熱板の両端を床暖根太寸法内で下方へ折り曲げ、その放熱板の両端を温水管と断熱板間に差し込んで伝熱板を構成し、この伝熱板の上面部位が木質フロアの下面と接するように木質フロアを床暖根太上に固定して、木質フロアと断熱板と床暖根太との間の各空気層を外壁に面する窓と窓の反対壁とに対抗し、かつ、上記空気層は温水管がアルミ薄板等の放熱板で包まれると共に、木質フロアと床暖根太間と断熱板とで囲まれ、空気層の両端が連通するように配設すると共に、上記木質フロアの端面で外壁に面する窓の直下部位に上記空気層と連通した空気口と、この空気口に対峙した窓の反対壁側の部位の木質フロアの端面にも空気口とを設け、窓下の周辺の床上空気が窓によるコールドドラフトで冷やされた状態においては、窓の直下の空気口が温水管で暖められた空気の活発な吐き出し口となると共に、窓の反対壁側の空気口が吸い込み口となって、活発な対流が発生し、又暖房の進みや日射により窓下空気が温水管で暖められた空気の温度と同程度となると、空気口からの吐き出しが停止して対流は停止し、さらに、窓下空気が温水管で暖められた空気の温度以上に上昇すると、窓の反対壁側の空気口が温水管で暖められた空気の吐き出し口となると共に、窓の直下の空気口が窓より暖められた空気の吸い込み口となって逆流が生じることを特徴とする床暖房ユニット。
【請求項２】
上記蛇行状に適数本配管されたＵ字状の連結管を窓の直下部位の空気口側に設けたことを特徴とする請求項１に記載の床暖房ユニット。
【発明の詳細な説明】
【０００１】
【発明の属する技術分野】
本発明は、住宅等に提供されている、空気層付き床暖房ユニットに関するものである。
【０００２】
【従来の技術】
従来木質フロアの温水式床暖房ユニットは、種々提案されている、例えば特公平７−１８５５８号公報のようにパネルベースにＵ字状溝と、このＵ字状溝のパネルベースの端部に切り欠き部とを設けて温水管の配管を確実に容易にしようとするものである。しかし、これらのものは木質の床鳴り、床浮き、キシミ音、反り、変形等の不具合現象を起こしていた。また、特開平１１−６６２９号公報のように床下空間内には、土間上に断熱材が敷設され、この断熱材の上面に蛇行した熱交換パイプを打設され、さらに畜熱用コンクリートで覆われ、床下空間内に給気フアンで送風して暖気を暖気グリルで各部屋に送りヒーティングシステムであり、このものでは畜熱用コンクリートで熱交換パイプが覆われ熱交換効率が悪く、また送風用のフアンが必要であり各部屋を暖めんとするもので熱源が大型となりフアン代や燃料費用がかさみ維持費か大変である、また、このものはボイラーからの熱交換パイプ（温水管）で、床下のコンクリート及び空気を暖め壁面パイプ及び各所の暖気グリルで１階や２階の居室を順次暖めて排気するもので高気密、高断熱構造の家屋に限られる、又、各室を均一な室温に保つには均一な空気の流れを必要とするため、そのような建物に限定され、高気密、高断熱構造であっても全てには対応できない、更に、給気フアンで強制的に空気を送る必要もあるし、窓下のコールドドラフトの対応もないので、各室の窓の有無で室温差が生ずる、更に又、室内個々の遮音もできないし、発生した臭気が全室に伝達されてしまう。さらに、特開平１０−５４５７６号公報や特開平９−３１０８７２号公報のように室内に取り付けたエアコンを利用して床暖房をせんとするものもあるが、このものは空調機に余計な負荷が必要であると共に、床の暖たたまりが遅いものであり、また特開平１０−５４５７６号公報のように空調機の温調空気の分流や部分的な床暖房をせんとするものである。さらには、特開平７−２２９６２９号公報のもは表面板とこの表面板の下面に互いに平行な複数本の横桟を介して対向させた断熱板とで床を構成し、これらの両板と２本の横桟とで囲まれた空間を温風通路とし、さらに断熱板の両側辺部に部屋の全長に亘って断熱材よりなる凹溝を設けて、一方の凹溝の一端から供給した温風を各温風通路に通し、他方の凹溝の他端から排出せんとするものであり、このものでは部屋の床暖房が不均一となるか、よほど容量の大きな温風の供給が必要となるし、又、このものは床下外で温風を発生させ、それをパイプで床下へ強制的にファンで温風を送り込み反対壁面下より排気させ、その空気を温風発生源へともどすものであり、上述と同様強制循環ファン（動力）を必要とする、更に、各室のもどり空気も混合する。さらには、特開昭６３−２７３７３７号公報のように床下空間を仕切板で囲い、パイプで熱風を吹き込み、窓側等壁面に床下空間と床上室内とを連通させて、不要部分の暖房をなくし窓の結露防止をさせたり、特開平５−１４１７０８号公報のように窓やその周辺部位を二重にし、空調エアを供給して外気の影響を遮断するようにしたり、特開昭６０−１３８３３７号公報のように窓の下端部近傍に暖房器具を配置すると共に、この暖房器具の温風吹出口よりも室内側にカーテンの下端部が位置するように前記カーテンを配置し、温風吹出口からの吹出温風により室内を暖房するものであるが、強制循環ファン（動力）を必要としたり、暖房器具を窓の近くに設置したりしているもので、上述な種々な欠点を有するものであるし、室の一部の暖房であり、窓や周辺を二重にする必要があり、構造が複雑でコストも高くなる。
【０００３】
本発明者は、先に暖房用木質系パネルユニットとして特開平３−２９１４２６号公報、また、木質の床鳴り、床浮き、キシミ音、反り、変形等の不都合を解決せんとして特開平６−７４４７２号公報や登録実用新案第３０００５５７号公報を提案した。このものは、木質フロアと断熱板と床暖根太と間に各空気層を形成し、この空気層内に配設された温水管をアルミ薄板等の放熱板で包み込んで伝熱部と放熱部とを設けたもので、本発明は、このような空気層をさらに積極的に利用することである。そして、一般に住宅等に提供されている暖房機器は、ファンコイルユニットでもパネルヒータにしても、窓下部位に設置するのが理想であるとされている。それは、ガラス窓からのコールドドラフト（冷たいガラス窓で冷やされた室内空気の発生現象）による空気を加温するため暖房機器を窓下部位に設置して快適な暖房空間にするためである。このことに着目してより早く室温上昇を計れることを見出したものである。本発明はコールドドラフト現象を逆利用して、窓下空気と床暖房空気層温度差により対流速度が可変になることができる。即ち、室温が２０度Ｃ程度の場合、空気層温度は３０〜３５度Ｃなので、外気温が下がれば下がるほど窓下空気温度も下がるので、そのぶん対流速度が活発になるし、外気温が上がれは対流速度が緩慢になる。従来技術に見られるような強制ファン（動力）を使用しないで、窓下空気温度により対流速度早めたり、緩慢にしたりが可能な構造である。又、日照により窓下空気が逆に暖められ空気層温度３０〜３５度Ｃになれば、対流は停止もするし、窓下空気がそれ以上に上昇すれば、逆対流作用となり、コールドドラフト時の吸い込み空気口が吐き出し空気口となり、日が差し込まない寒い部屋部位を早く暖めんとする働きをするように変わる。このように、窓下空気温度の状態により、対流速度を変えたり、停止させたり、逆流させたりすることにより、より早く、より快適な室内暖房環境を創出できると共に、この創出（空気の対流）には動力を使用しないので、より省エネ構造の床暖房ユニットを提供できることを見出だした。
【０００４】
【課題を解決しようとする課題】
第１に、住宅の床下地材を構成する根太上に荒床板を敷き込み、その上に適当間隔に床暖根太を取り付け、その床暖根太間に断熱板を引き込み、この断熱板上に温水管を蛇行状に適数本配管し、各断熱板のこれらの温水管を包み込むように、アルミ薄板等の放熱板で覆い、このアルミ薄板等の放熱板の両端を床暖根太寸法内で下方へ折り曲げ、その放熱板の両端を温水管と断熱板間に差し込んで伝熱板を構成し、この伝熱板の上面部位が木質フロアの下面と接するように木質フロアを床暖根太上に固定して、木質フロアと断熱板と床暖根太との間の各空気層を外壁に面する窓と窓の反対壁とに対抗し、かつ、上記空気層は温水管がアルミ薄板等の放熱板で包まれると共に、木質フロアと床暖根太間と断熱板とで囲まれ、空気層の両端が連通するように配設すると共に、上記木質フロアの端面で外壁に面する窓の直下部位に上記空気層と連通した空気口と、この空気口に対峙した窓の反対壁側の部位の木質フロアの端面にも空気口とを設け、窓下の周辺の床上空気が窓によるコールドドラフトで冷やされた状態においては、窓の直下の空気口が温水管で暖められた空気の活発な吐き出し口となると共に、窓の反対壁側の空気口が吸い込み口となって、活発な対流が発生し、又暖房の進みや日射により窓下空気が温水管で暖められた空気の温度と同程度となると、空気口からの吐き出しが停止して対流は停止し、さらに、窓下空気が温水管で暖められた空気の温度以上に上昇すると、窓の反対壁側の空気口が温水管で暖められた空気の吐き出し口となると共に、窓の直下の空気口が窓より暖められた空気の吸い込み口となって逆流が生じるようにしたことにより、木質の床鳴り、床浮き、キシミ音、反り、変形等の不都合を解決すると共に、ガラス窓からのコールドドラフト現象を利用して、窓下空気温度の状態により、対流速度を変えたり、停止させたり、逆流させたりすることにより、より早く、より快適な室内暖房環境を創出できると共に、この創出（空気の対流）には動力を使用しないので、より省エネ構造の床暖房ユニットを提供すること。第２に、第１の課題に加えて、蛇行状に適数本配管されたＵ字状の連結管を吐き出し口、或いは吸い込み口ともなる窓の直下部位の空気口側に設けたことにより、上記空気層内で熱交換がＵ字状の連結管でさらに促進され、他の部位より強く暖められた温風を吐き出せて、より早く室温上昇を計った床暖房ユニットを提供すること。
【０００５】
【課題を解決するための手段】
第１に、住宅の床下地材を構成する根太上に荒床板を敷き込み、その上に適当間隔に床暖根太を取り付け、その床暖根太間に断熱板を引き込み、この断熱板上に温水管を蛇行状に適数本配管し、各断熱板のこれらの温水管を包み込むように、アルミ薄板等の放熱板で覆い、このアルミ薄板等の放熱板の両端を床暖根太寸法内で下方へ折り曲げ、その放熱板の両端を温水管と断熱板間に差し込んで伝熱板を構成し、この伝熱板の上面部位が木質フロアの下面と接するように木質フロアを床暖根太上に固定して、木質フロアと断熱板と床暖根太との間の各空気層を外壁に面する窓と窓の反対壁とに対抗し、かつ、上記空気層は温水管がアルミ薄板等の放熱板で包まれると共に、木質フロアと床暖根太間と断熱板とで囲まれ、空気層の両端が連通するように配設すると共に、上記木質フロアの端面で外壁に面する窓の直下部位に上記空気層と連通した空気口と、この空気口に対峙した窓の反対壁側の部位の木質フロアの端面にも空気口とを設け、窓下の周辺の床上空気が窓によるコールドドラフトで冷やされた状態においては、窓の直下の空気口が温水管で暖められた空気の活発な吐き出し口となると共に、窓の反対壁側の空気口が吸い込み口となって、活発な対流が発生し、又暖房の進みや日射により窓下空気が温水管で暖められた空気の温度と同程度となると、空気口からの吐き出しが停止して対流は停止し、さらに、窓下空気が温水管で暖められた空気の温度以上に上昇すると、窓の反対壁側の空気口が温水管で暖められた空気の吐き出し口となると共に、窓の直下の空気口が窓より暖められた空気の吸い込み口となって逆流が生じることを特徴とする床暖房ユニットである。第２に、上記蛇行状に適数本配管されたＵ字状の連結管を窓の直下部位の空気口側に設けたことを特徴とする請求項１に記載の床暖房ユニットである。
【０００６】
【発明の実施の形態】
以下、本発明の床暖房ユニットについて、実施例に基ずいて説明する。図１は、本発明の要部の一部を展開した図であり、このものは図２に示すように本発明の要部の一部であり木質フロア１の一部をとり外した組み立て平面図と、図３に示すように本発明の床暖房ユニットを窓１１付壁面に取り付け床暖房ユニットの一部をとり外した概念図とに基ずいて説明すると、適当間隔に床暖根太３、３′、…を荒床板８上に釘等で固定し、この床暖根太３、３′、…間に木質系の断熱板７を敷き、その上に温水管４、４′を蛇行状に配管し、好ましくは床暖根太間に温水管が２本となるようにし、この蛇行状の配管上よりアルミ薄板等の放熱板２で覆い、放熱板２の両端面を下方に折り曲げ、さらに上記断熱板７と温水管４、４′との間に挟み込んで伝熱板６，６を延設し、伝熱板６，６と放熱板２とを一体に構成する。さらに、床暖根太３、３′、…上に木質フロア１を釘等で固定すると図２、図３に示すような空気層５付きの床暖房ユニットとなるのである。このような木質フロアと断熱板と床暖根太との間の空気層５付きの床暖房ユニットに、図３乃至図５に示すように、外壁に取り付けられた窓１１の下の床部位に金属性、合成樹脂製、木製等の風向き偏向翼１２、例えば床ガラリー、風量調節付の床ガラリー、固定された風向き翼を所望方向にセットしたり、調節できる風向き翼等（以下、「風向き偏向翼」という）と又は開口閉鎖蓋とに変更自在で取り付け自在とした吐き出し（或いは吸い込みとなる）空気口９と、窓１１と反対壁面直下の床部位に金属性、合成樹脂製、木製等の風向き偏向翼と又は開口閉鎖（風量調節付が開口閉鎖式の床ガラリーの場合は不要である）とに変更自在で取り付け自在とした吸い込み（或いは吐き出しにもなる）空気口１０とを取り付けた床暖房ユニットである。このように木質フロアと断熱板間の空気層を外壁に面する窓に対抗（略直角）するように配設すると、木質フロアの端面で外壁に面する窓の直下部位に、上記空気層と連通する吐き出し空気口を設けるとともに、この空気口に対峙した部位の木質フロア１の端面に吸い込み空気口を設けたことにより、窓１１下の周辺の床上空気がコールドドラフトにより冷やされるので、空気層と連通する吐き出し空気口９から活発に暖められた空気が上昇し、吐き出し空気口９より空気層で加温された空気が窓１１下に向かって上昇しやすく、その上昇した空気はコールドドラフトの影響を受けない対抗した部位の吸い込み空気口１０より吸い込まれ、より活発な対流が発生し、図５に示すように暖房空間に対流作用がおこなわれる。そして、窓下空気温度により対流速度早めたり、緩慢にしたりが可能な構造であり、又、日照により窓下空気が逆に暖められ空気層温度になれば、対流は停止もするし、窓下空気がそれ以上に上昇すれば、逆対流作用となり、コールドドラフト時の吸い込み空気口が吐き出し空気口となり、日が差し込まない寒い部屋部位を早く暖めんとする働きをするように変わる。このように、窓下空気温度の状態により、対流速度を変えたり、停止させたり、逆流させたりする。さらに、上記各空気口に風向き偏向翼１２と又は開口閉鎖蓋とに変更自在としたので、温風を所望方向に向けたり、掃除や暖房不用時に開口を閉鎖できるので塵等の侵入を防止できるのである。
【０００７】
他の実施例として、適当間隔に床暖根太３、３′、…を荒床板８上に釘等で固定し、この床暖根太３、３′、…間に木質系の断熱板７を敷き、その上に温水管４、４′を蛇行状に配管し、この蛇行状に適数本（好ましくは２本）配管されたＵ字状の連結管を窓の直下部位の空気口側に設けた、この蛇行状の配管上よりアルミ薄板等の放熱板２で覆い、放熱板２の両端面を下方に折り曲げ、さらに上記断熱板７と温水管４、４′との間に挟み込んで伝熱板６，６を延設し、伝熱板６，６と放熱板２とを一体に構成する。さらに、床暖根太３、３′、…上に木質フロア１を釘等で固定すると図２、図３に示すような床暖房ユニットとなるのである。このように、蛇行状に適数本（好ましくは２本）配管されたＵ字状の連結管を吐き出し頻度がより多い窓の直下部位の空気口側に設けたことにより、上記空気層内で熱交換がＵ字状の連結管でさらに促進され、他の部位より強く暖められた温風を吐き出させて、より早く室温上昇を計った床暖房ユニットである。
【０００８】
さらに、釘等で固定された荒床板、床暖根太、木質フロアを全て含水の少ない、しかも同質材の板で構成すれば、湿度や温度変化による変形等しにくいと同時に、その中に形成される断面矩形の空気層内の放熱部材である温水管、放熱板、伝熱板等は伸縮自在に配設されているので、前記同質材の板には熱のみの伝達となり、さらに変形しにくい構造となっている。さらには、他の実施例として、図５、図６に示すように、より快適な室内暖房環境を創出するために、芳香剤や消臭剤等を各空気口の内外の近傍に取り付ける、これらの消臭剤等が粒状の場合は図５に示すように各空気口の内側（図示していないが布袋詰めや孔付き容器に入れて空気口の外の近傍に置いてもよい）の近傍１３に布袋詰めや孔付き容器に入れて取り付けたり、練り状、液体や吸湿・防カビ等の塩化カルシュウム、森林浴剤、木炭や竹炭等の場合は収納する例えば凹状のスペース１４を図６に示すように、空気口９（１０）の下部に付設するとよい。これらに使用できる剤として、香料、植物抽出物、両性界面活性系消臭剤、非イオン、陰イオン、色素等で構成される消臭剤や、香料、植物精油、非イオン系界面活性剤、防腐剤、色素等で構成されるたばこの煙り等の脱臭剤、塩カルシュウム等で構成される吸湿・防カビ効果のある消臭剤や、更には森林浴剤、木炭や竹炭等（これらの剤に限定されるものではなく、他の種々な吸着材等のものでもよい）（以下、単に「芳香剤や消臭剤等」という）を配設すれば快適な室内暖房環境がさらに快適な室内環境が得られる。特に最近の住宅は省エネ目的のため高気密化傾向なので、上述の種々な剤の商品需要が高まっているのに鑑み、その新たな利用を提案するもので、本発明の対流作用を行う床暖房システムに上述の剤を組み込むことで、より積極的効果が得られるし、本剤を設置する空気口は上述のように温水管４、４′の配管上よりアルミ薄板等の放熱板２で覆い、放熱板２の両端面を下方に折り曲げだ部位の空気層温度は３０〜３５度Ｃで空気口ではさらに低くなり室温の２０度Ｃ程度の略常温程度なので安全でもある。また、設置する場所を図５、図６に示すように床下内にすれば、幼児等の目に触れない場所となり更に安全である、さらに、これらの剤は数ヵ月の消耗品であり交換が必要なので、空気口はドライバー等で簡単に取り外し可能な構造にすればよい。なお、好ましくは主に空気の吐き出しとなる空気口に森林浴剤や香料を置き、主に吸い込みとなる空気口には消臭剤や木炭や竹炭等を置くとよい。
【０００９】
次ぎに、動作について説明すると、図３、図４に示すように、木質フロアと断熱板と床暖根太との間の空気層内に配設された温水管をアルミ薄板等の放熱板で包みこまれ伝熱部と放熱部とが形成され、このような各空気層を外壁に面する窓に対抗するように配設し、この木質フロアの端面で外壁に面する窓の直下部位に、上記空気層と連通する吐き出し空気口を設けるとともに、この空気口に対峙した部位の木質フロア１の端面に吸い込み空気口を設けたことにより、木質の床鳴り、床浮き、キシミ音、反り、変形等の不都合を解決すると共に、窓１１下の周辺の床上空気がコールドドラフトにより冷やされると、空気層と連通する吐き出し空気口９から活発に暖められた空気が上昇するので、吐き出し空気口９より空気層で加温された空気が窓１１下に向かって上昇しやすく、その上昇した空気はコールドドラフトの影響を受けない対抗した部位の吸い込み空気口１０より吸い込まれ、より活発な対流が発生し、図５に示すように暖房空間に対流作用がおこなわれる。このように、本発明の床暖房は、本来の木質フロアからの輻射暖房に加えて、窓下のコールドドラフトによる冷気を積極的に加温できるので、より快適な暖房空間になるとともに、冷気を加温する対流作用により、暖房開始時の室内温度上昇が早められるので、省エネ対策ともなる。さらに窓下空気温度により対流速度早めたり、緩慢にしたりが可能な構造であり、又、日照により窓下空気が逆に暖められ空気層温度になれば、対流は停止もするし、窓下空気がそれ以上に上昇すれば、逆対流作用となり、コールドドラフト時の吸い込み空気口が吐き出し空気口となり、日が差し込まない寒い部屋部位を早く暖めんとする働きをするように変わる。このように、窓下空気温度の状態により、対流速度を変えたり、停止させたり、逆流させたりすることにより、より早く、より快適な室内暖房環境を創出できると共に、この創出（空気の対流）には動力を使用しないでできる。さらには、芳香剤や消臭剤等を各空気口の内外の近傍に取り付けることで、室内の暖房時の循環される空気で自然浴したり、清浄にしたり、匂いを消したり、または好みの芳香を漂わせて、より快適な生活環境とすることができる。
【００１０】
【発明の効果】
第１に、木質フロアと断熱板と床暖根太との間の各空気層を形成し、この空気層内に配設された温水管をアルミ薄板等の放熱板で包み込んで伝熱部と放熱部とを形成し、この各空気層を外壁に面する窓と窓の反対壁とに対抗し、かつ、上記空気層は温水管がアルミ薄板等の放熱板で包まれると共に、木質フロアと床暖根太間と断熱板とで囲まれ、空気層の両端が連通するように配設すると共に、上記木質フロアの端面で外壁に面する窓の直下部位に上記空気層と連通した空気口と、この空気口に対峙した窓の反対壁側の部位の木質フロアの端面にも空気口とを設け、窓下の周辺の床上空気が窓によるコールドドラフトで冷やされた状態においては、窓の直下の空気口が温水管で暖められた空気の活発な吐き出し口となると共に、窓の反対壁側の空気口が吸い込み口となって、活発な対流が発生し、又暖房の進みや日射により窓下空気が温水管で暖められた空気の温度と同程度となると、空気口からの吐き出しが停止して対流は停止し、さらに、窓下空気が温水管で暖められた空気の温度以上に上昇すると、窓の反対壁側の空気口が温水管で暖められた空気の吐き出し口となると共に、窓の直下の空気口が窓より暖められた空気の吸い込み口となって逆流が生じるようにしたことにより、木質の床鳴り、床浮き、キシミ音、反り、変形等の不都合を解決すると共に、ガラス窓からのコールドドラフト現象を利用して、窓下空気温度の状態により、対流速度を変えたり、停止させたり、逆流させたりすることにより、より早く、より快適な室内暖房環境を創出できると共に、この創出（空気の対流）には動力を使用しないので、より省エネ構造であり、かつ、床材に不都合を起こさず、放熱と伝熱とで効率をよくし、かつ安価な床暖房ユニットである。第２に、第１の効果に加えて、蛇行状に適数本配管されたＵ字状の連結管を吐き出し口、或いは吸い込み口ともなる窓の直下部位の空気口側に設けたことにより、上記空気層内で熱交換がＵ字状の連結管でさらに促進され、他の部位より強く暖められた温風を吐き出せて、より早く室温上昇を計った床暖房ユニットである。
【図面の簡単な説明】
【図１】本発明の床暖房ユニットの要部の一部の展開した展開図である。
【図２】本発明の床暖房ユニットの要部の一部を削除した概念図である。
【図３】本発明の床暖房ユニットを窓１１付壁面に取り付け一部を削除した概念図である。
【図４】本発明の床暖房ユニットを窓１１付壁面に取り付けた平面図である。
【図５】本発明の床暖房ユニットの作用を説明する断面図である。
【図６】本発明による他の実施例の床暖房ユニットの要部の断面図である。
【符号の説明】
１                      木質フロア
２                      放熱板
３、３′、…            床暖根太
４、４′                温水管
５                      空気層
６                      伝熱板
７                      断熱板
８                      荒床板
９、１０                空気口
１１                    窓
１２                    偏向翼
１３                    空気口の近傍
１４                    スペース
【図１】
0003852045.tif 000002
【図２】
0003852045.tif 000003
【図３】
0003852045.tif 000004
【図４】
0003852045.tif 000005
【図５】
0003852045.tif 000006
【図６】
0003852045.tif 000007